(57)【要約】【課題】記録媒体の劣化度合いを通知し、安定した記録動作を実現する。【解決手段】ステップＳ９にて訂正不可能なアドレス読取りエラーがない場合であっても、ステップＳ８にて生成し格納した劣化情報に応じてステップＳ１７にて劣化情報を表示し、かつステップＳ１８にて、ＡＴＩＰのアドレス読取エラーが連続した２フレーム以上に亘って検出されたか否か、或いは７５フレームに平均４以上検出されたか否かを判別し、これら条件に適合する場合は、ステップＳ１９において警告（第２の劣化情報）を表示する。また、ステップＳ１４にてＣ１処理の際に生成された劣化情報から検出されたエラーが連続する７５０フレームに対して平均で２００以上の場合、また、Ｃ２処理の際に検出されるエラーが１以上の場合、同様にディスク劣化警告表示を行う。【選択図】　図２
2004022136.tif 000002
【特許請求の範囲】
【請求項１】
ディスク状記録媒体に対して光記録方式によってデータを記録及び／又は再生するデータ記録再生装置において、
上記データを記録及び／又は再生する記録再生手段と、
上記ディスク状記録媒体の劣化を検出する劣化情報検出手段と、
上記ディスク状記録媒体の劣化情報を表示する表示手段と、
上記検出された劣化に応じて劣化を示す劣化情報を生成し、該劣化情報に応じて上記表示手段に表示する制御を行う制御手段と
を備えることを特徴とするデータ記録再生装置。
【請求項２】
上記劣化情報検出手段は、ディスク状記録媒体上のアドレス情報を読み出す際の読取りエラー頻度を検出し、上記読取りエラー頻度から第１の劣化情報を生成し、上記制御手段は、該第１の劣化情報が所定の閾値を超えると第２の劣化情報を生成することを特徴とする請求項１記載のデータ記録再生装置。
【請求項３】
上記ディスク状記録媒体上のアドレス情報は、ＡＴＩＰ（Ａｂｓｏｌｕｔｅ　Ｔｉｍｅ　Ｉｎ　Ｐｒｅｇｒｏｏｖｅ）であることを特徴とする請求項２記載のデータ記録再生装置。
【請求項４】
上記劣化情報検出手段は、所定のエラー訂正符号化を施されディスク状記録媒体に記録されたデータのエラー頻度を検出し、上記記録されたデータのエラー頻度から第１の劣化情報を生成し、上記制御手段は、該第１の劣化情報が所定の閾値を超えると第２の劣化情報を生成することを特徴とする請求項１記載のデータ記録再生装置。
【請求項５】
上記エラー訂正符号化は、ＣＩＲＣ（Ｃｒｏｓｓ−Ｉｎｔｅｒｌｅａｖｅｄ　Ｒｅａｄ−Ｓｏｌｏｍｏｎ　Ｃｏｄｅ）であることを特徴とする請求項４記載のデータ記録再生装置。
【請求項６】
ディスク状記録媒体に対して光記録方式によってデータを記録及び／又は再生するデータ記録再生方法において、
上記データを記録及び／又は再生する記録再生する際に、上記ディスク状記録媒体の劣化を検出する劣化検出工程と、
上記検出された劣化に応じて劣化を示す劣化情報を生成し、該劣化情報に応じてこれを表示手段に表示する制御を行う制御工程と
を有することを特徴とするデータ記録再生方法。
【請求項７】
上記劣化情報検出工程では、ディスク状記録媒体上のアドレス情報を読み出す際の読取りエラー頻度が検出され、上記読取りエラー頻度から第１の劣化情報が生成され、上記制御工程では、該第１の劣化情報が所定の閾値を超えると第２の劣化情報が生成されることを特徴とする請求項６記載のデータ記録再生方法。
【請求項８】
上記ディスク状記録媒体上のアドレス情報は、ＡＴＩＰ（Ａｂｓｏｌｕｔｅ　Ｔｉｍｅ　Ｉｎ　Ｐｒｅｇｒｏｏｖｅ）であることを特徴とする請求項７記載のデータ記録再生方法。
【請求項９】
上記劣化情報検出工程では、所定のエラー訂正符号化を施されディスク状記録媒体に記録されたデータのエラー頻度が検出され、上記制御工程では、上記記録されたデータのエラー頻度から第１の劣化情報が生成され、該第１の劣化情報が所定の閾値を超えると第２の劣化情報が生成されることを特徴とする請求項６記載のデータ記録再生方法。
【請求項１０】
上記エラー訂正符号化は、ＣＩＲＣ（Ｃｒｏｓｓ−Ｉｎｔｅｒｌｅａｖｅｄ　Ｒｅａｄ−Ｓｏｌｏｍｏｎ　Ｃｏｄｅ）であることを特徴とする請求項９記載のデータ記録再生方法。
【請求項１１】
ディスク状記録媒体に対して光記録方式によってデータを記録及び／又は再生するデジタルカメラにおいて、
被写体を撮像する撮像手段と、
上記撮像手段によって撮像された画像データを処理する画像処理手段と、
ディスク状記録媒体に対して上記画像データを記録及び／又は再生する記録再生手段と、
上記ディスク状記録媒体の劣化を検出する劣化情報検出手段と、
上記ディスク状記録媒体の劣化情報を表示する表示手段と、
上記検出された劣化に応じて劣化を示す劣化情報を生成し、該劣化情報に応じて上記表示手段に表示する制御を行う制御手段と
を備えることを特徴とするデジタルカメラ。
【請求項１２】
上記劣化情報検出手段は、ディスク状記録媒体上のアドレス情報を読み出す際の読取りエラー頻度を検出し、上記読取りエラーから第１の劣化情報を生成し、上記制御手段は、該第１の劣化情報が所定の閾値を超えると第２の劣化情報を生成することを特徴とする請求項１１記載のデジタルカメラ。
【請求項１３】
上記ディスク状記録媒体上のアドレス情報は、ＡＴＩＰ（Ａｂｓｏｌｕｔｅ　Ｔｉｍｅ　Ｉｎ　Ｐｒｅｇｒｏｏｖｅ）であることを特徴とする請求項１２記載のデジタルカメラ。
【請求項１４】
上記劣化情報検出手段は、所定のエラー訂正符号化を施されディスク状記録媒体に記録されたデータのエラー頻度を検出し、上記記録されたデータのエラー頻度から第１の劣化情報を生成し、上記制御手段は、該第１の劣化情報が所定の閾値を超えると第２の劣化情報を生成することを特徴とする請求項１１記載のデジタルカメラ。
【請求項１５】
上記エラー訂正符号化は、ＣＩＲＣ（Ｃｒｏｓｓ−Ｉｎｔｅｒｌｅａｖｅｄ　Ｒｅａｄ−Ｓｏｌｏｍｏｎ　Ｃｏｄｅ）であることを特徴とする請求項１４記載のデジタルカメラ。
【発明の詳細な説明】
【０００１】
【発明の属する技術分野】
本発明は、データ記録再生装置及びデータ記録再生方法、並びにデジタルカメラに関し、特に、記録媒体の劣化情報を表示するデータ記録再生装置及びデータ記録再生方法、並びにこのデータ記録再生装置を適用したデジタルカメラに関する。
【０００２】
【従来の技術】
光学的読取りを応用した、いわゆるＣＤ（Ｃｏｍｐａｃｔ　Ｄｉｓｃ）のようなディスク状記録媒体（以下、光ディスクと記す。）は、記憶容量が大きく、ランダムアクセスが可能である。また、光学読取りは、非接触であることから、磁気テープのような接触型の記録媒体と比較してヘッドクラッシュ等の危険や読取りによる摩耗・損傷がないという利点を有する。また、ディスク表面が頑丈なことから、偶発的なデータ消失の危険性も少ない。このように多くの利点を持つ光ディスクは、コンピュータ周辺のメモリとして、またデータ制作・データ保存において優れた記録媒体である。
【０００３】
近年では、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−Ｒｅｗｒｉｔａｂｌｅ）といった記録可能な光ディスクを用いた記録再生装置が開発されている。このような記録可能な光ディスクの中には、ＣＤ−ＲＯＭ、ＣＤ−ＲＯＭ／ＸＡ、ＣＤ−Ｉ、ＣＤ−ＤＡといった、いわゆるコンパクトディスクで使用される標準的な全フォーマットに対応した書き込みを簡単に行えるものもある。また、このような書き込み可能な光ディスクを用いたドライバ装置は、従来の磁気テープ、磁気ディスク等に対応したドライバ装置に代わって電子機器に搭載されるようになってきている。
【０００４】
例えば、記録媒体としてＣＤ−Ｒ／ＲＷを用いるデジタルカメラでは、ＵＤＦ（Ｕｎｉｖｅｒｓａｌ　Ｄｉｓｃ　Ｆｏｒｍａｔ）規格に合わせて、圧縮済み又は非圧縮の画像データを撮影毎に媒体に追加記録している。特に、ＣＤ−ＲＷは、記録可能領域がなくなっても記録データを消去することで繰り返し使用できるため、データの記録に際しては、記録媒体の劣化を考慮する必要がある。
【０００５】
ＣＤ−ＲＷの繰り返し使用に対して、規格書（Ｏｒａｎｇｅ　Ｂｏｏｋ　ｐａｒｔ　ＩＩＩ）では、１０００回以上の繰り返し記録に対して信頼性を確保するように指南されているが、実際には記録装置や記録条件等により、最適な記録状態が保持されるのは、例えば、３００回程度といわれている。デジタルカメラの場合、室内に静置して用いる記録装置と違い、より過酷な環境下で記録動作を実行するため、記録媒体の繰り返し寿命は、さらに低下してしまう。
【０００６】
光学記録方式では、書き込み時のエラー発生は、原理的に不可避なため、発生したエラーを修復するための複数の工程が用意されている。このようなデジタルカメラでも、撮影・記録動作の都度、記録データのベリファイ確認を行い、記録データに対してＣＩＲＣ等によるエラー検出及び訂正を実行し、修復不可能なエラーを検出した際には、再記録するなどしてデータ記録に対する信頼性を確保している。
【０００７】
また、再記録を実行しても再びエラーが検出されるような場合には、正常に記録できない旨の表示を行って記録媒体の交換を促すなどの機能が設けられている。
【０００８】
【発明が解決しようとする課題】
ところが、上述したデジタルカメラでは、撮像後、この画像データを記録する際、エラー検出動作によってエラー検出は実行できるものの記録する段階になって「記録エラー」を警告しても、ユーザは、新たな媒体を用意することが難しい。また、エラー警告によって画像データが記録できなければ、デジタルカメラの使用に差し支えるばかりか、この直前に撮像した貴重な画像データを失うことにもなりかねない。
【０００９】
そこで本発明は、このような従来の実情に鑑みて提案されたものであり、記録媒体の劣化状態を検出し表示することで、記録媒体の劣化度合いを通知し、安定した記録動作を実現するデータ記録再生装置及びデータ記録再生方法、並びに記録媒体の劣化状態を検出し表示することによって、ユーザに記録媒体の劣化度合いを通知し、安定した記録動作を実現するデジタルカメラを提供することを目的とする。
【００１０】
【課題を解決するための手段】
上述した目的を達成するために、本発明に係るデータ記録再生装置は、データを記録及び／又は再生する記録再生手段と、ディスク状記録媒体の劣化を検出し第１の劣化情報を生成する劣化情報検出手段と、ディスク状記録媒体の第１の劣化情報を表示する表示手段と、第１の劣化情報に応じて劣化を示す第２の劣化情報を生成し、第２の劣化情報を表示する表示手段と、該第１と第２の劣化情報に応じて表示手段に表示する制御を行う制御手段とを備えることを特徴としている。
【００１１】
このデータ記録再生装置は、エラー検出訂正に至る過程で明らかとなる記録媒体のエラー頻度を第１の劣化情報として生成し、所定の閾値と比較して劣化度合いを評価するための第２の劣化情報を生成し、必要に応じて第１と第２の劣化情報を、又は一方の劣化情報を表示手段に表示する。
【００１２】
また、上述した目的を達成するために、本発明に係るデータ記録再生方法は、データを記録及び／又は再生する記録再生する際に、ディスク状記録媒体の劣化を検出し第１の劣化情報を生成する劣化検出工程と、第１の劣化情報に応じて劣化を示す第２の劣化情報を生成し、必要に応じて第１と第２の劣化情報を、又は一方の劣化情報を表示手段に表示する制御を行う制御工程とを有することを特徴とする。
【００１３】
このデータ記録再生方法では、エラー検出訂正に至る過程で明らかとなる記録媒体のエラー頻度を第１の劣化情報として生成し所定の閾値と比較して劣化の度合いを評価するための第２の劣化情報を生成し、必要に応じて第１と第２の劣化情報を、又は一方の劣化情報を表示する。
【００１４】
さらにまた、本発明に係るデジタルカメラは、被写体を撮像する撮像手段と、撮像手段によって撮像された画像データを処理する画像処理手段と、ディスク状記録媒体に対して画像データを記録及び／又は再生する記録再生手段と、ディスク状記録媒体の劣化を検出し第１の劣化情報を生成する劣化情報検出手段と、ディスク状記録媒体の第１の劣化情報を表示する表示手段と、第１の劣化情報に応じて劣化を示す第２の劣化情報を生成し、必要に応じて第１と第２の劣化情報を、又は一方の劣化情報を表示手段に表示する制御を行う制御手段とを備えることを特徴とする。
【００１５】
このデジタルカメラは、画像データを記録する際、エラー検出訂正に至る過程で明らかとなる記録媒体のエラー頻度を第１の劣化情報として生成して所定の閾値と比較して劣化の度合いを評価するための第２の劣化情報を生成し、必要に応じて第１と第２の劣化情報を、又は一方の劣化情報を表示する。
【００１６】
【発明の実施の形態】
以下、本発明の実施の形態について、図面を参照して詳細に説明する。図１に示すデジタルカメラ１は、記録媒体の劣化状態を検出し表示することで、記録媒体の劣化度合いによって、この劣化情報をユーザに通知できるようにしたものである。
【００１７】
再生に適した記録媒体として、いわゆるレッドブック（Ｒｅｄ　Ｂｏｏｋ）、イエローブック（Ｙｅｌｌｏｗ　Ｂｏｏｋ）、オレンジブック（Ｏｒａｎｇｅ　Ｂｏｏｋ　ｐａｒｔ　ＩＩＩ）等の規格に準拠し、ＯＳＴＡ（Ｏｐｔｉｃａｌ　Ｓｔｏｒａｇｅ　Ｔｅｃｈｎｏｌｏｇｙ　Ａｓｓｏｃｉａｔｉｏｎ）が標準化しているＵＤＦ（Ｕｎｉｖｅｒｓａｌ　Ｄｉｓｃ　Ｆｏｒｍａｔ）に基づいてファイル管理される光ディスクを何れも用いることができる。本具体例では、記録に対応した光ディスクとして、特にＣＤ−Ｒ、ＣＤ−ＲＷを用いた場合に関して説明する。
【００１８】
これらの記録媒体には、ランドとグルーブとよばれる溝が設けられている。この記録媒体上のグルーブには、アドレスを表す時間情報がＡＴＩＰ（Ａｂｓｏｌｕｔｅ　Ｔｉｍｅ　Ｉｎ　Ｐｒｅｇｒｏｏｖｅ）情報として、ウォブル（Ｗｏｂｂｌｅ）を用いて記録されており、エラー検出のためのＣＲＣ（Ｃｙｃｌｉｃ　Ｒｅｄｕｎｄａｎｃｙ　Ｃｈｅｃｋ：巡回冗長検査）コードが付加されている。
【００１９】
ＡＴＩＰ情報は、記録媒体への書き込み、読み出しともに媒体上のアドレスを認識して、新たなアドレスにアクセスするために必要な情報であってエラー頻度が増加すると、所望のデータが記録されたアドレスが見つけられずに、サーボエラーとなって記録媒体としては使用不可能となる。
【００２０】
特に、ＣＤ−ＲＷでは、繰り返し書き込みにより、グルーブの構造がレーザの書き込みパワーによって劣化するため、アドレスエラーが増大する。
【００２１】
本具体例では、このＡＴＩＰ情報を用いて、ＡＴＩＰ読出動作時のエラー発生状況を定量的に把握する。
【００２２】
イエローブックのモード１（Ｍｏｄｅ１）とよばれるデータ形式では、記録媒体に記録されるデータは、２３５２バイトで構成される１記録ブロック単位の内部に、４バイトのＥＤＣ（Ｅｒｒｏｒ　Ｄｅｔｅｃｔｉｏｎ　Ｃｏｄｅ：エラー検出コード）と、２７６バイトのＥＣＣ（Ｅｒｒｏｒ　Ｃｏｒｒｅｃｔｉｏｎ　Ｃｏｄｅ：エラー訂正コード）とが付加されるように決められている。その後、この１ブロックのデータをＣＩＲＣエンコードし、さらにＥＦＭ（Ｅｉｇｈｔ　ｔｏ　Ｆｏｕｒｔｅｅｎ　Ｍｏｄｕｌａｔｉｏｎ）変調し、記録媒体にピットとして記録するようになっている。ベリファイ時には、このＥＤＣを用いることによってエラー発生状況を把握できる。
【００２３】
そこで、本具体例では、このイエローブックのモード１として定められたエラー検出訂正の手法を応用して、このエラー情報に応じて記録媒体の劣化情報を生成する。
【００２４】
ＣＩＲＣは、書き込み済みデータに対するバースト的欠落（Ｃ２処理）やランダム的欠落（Ｃ１処理）に対して、エラー検出・訂正処理を行うものである。記録時には、上述したモード１の処理に続いてＣＩＲＣエンコードを実行している。また同様に、ベリファイ時に、このエラー検出機能を使って、エラーの発生状況を把握することができるようになっている。
【００２５】
そこで、本具体例では、このＣＩＲＣのエラー検出訂正処理を用いて、エラーの発生状況を把握する。
【００２６】
このように、本具体例では、それぞれのエラー検出段階で訂正不可能なエラーに至らなくとも、劣化を示す劣化情報を生成し（第１の劣化情報の生成）、後段でまとめて詳細な劣化情報を表示している。また、必要に応じて劣化情報を所定の閾値と比較し記録媒体の劣化がエラー発生の可能性がある場合、ユーザに対して警告表示（第２の劣化情報の生成）を行っている。
【００２７】
具体的には一例として、以下の閾値により、劣化判定し警告表示を行う。まず、上述したＡＴＩＰ読出動作時のエラー発生状況を定量的に把握する手法において、記録動作時にＡＴＩＰのアドレス読取エラーが連続した２フレーム以上に亘って検出される場合、或いは７５フレームに平均４以上検出される場合に警告表示を行う。
【００２８】
また、ＣＩＲＣを用いたＣ１処理において、連続した７５０フレームに平均２００以上のエラーが検出される場合に警告表示を行う。また、Ｃ２処理において、少なくとも１つのエラーが検出された場合に警告表示を行う。さらに、上述したイエローブック、モード１のエラー検出訂正手法において、少なくとも１つのエラーが検出された場合に警告表示を行う。これらの警告表示は検出の都度行わずまとめて後段で表示する。
【００２９】
このように、本具体例では、訂正不可能なエラーが発生する前に、所定の各エラー訂正処理で検出されたエラー数（頻度）に応じて劣化情報が生成され、この劣化情報に応じて警告表示によって、ユーザに対して記録媒体の交換を促すことができるため、深刻なエラーが発生した時点で記録媒体の交換を指示する従来の手法と異なり、記録データの損失が未然に回避できる。
【００３０】
図１に本発明の具体例であるデジタルカメラ１の構成を示す。デジタルカメラ１は、撮像系と記録系とを有しており、撮像系として、レンズ１１、絞り１２、ＣＣＤ１３、Ｓ／Ｈ回路１４、ＡＧＣ回路１５、Ａ／Ｄ回路１６、光学制御部１７を備えている。また、撮像系には、撮像された画像から画像データを生成し、種々の画像処理を施すための構成として、γ補正回路１８、色信号変換回路１９、解像度変換回路２０、ＪＰＥＧ処理回路２１等が含まれている。
【００３１】
ユーザによってシャッタが押される操作の前までは、撮像系から取り込んだ画像を低解像度で直接ＬＣＤ２３へ送り出す処理が行われている。
【００３２】
図１のレンズ１１、絞り１２、ＣＣＤ１３に対し、後述の光学制御部１７から、それぞれフォーカス、絞り、電子シャッタの制御が行われ、ＣＣＤ１３上の結像が最適状態となるように制御される。
【００３３】
待機状態では、ＣＣＤ１３からは、後段のＬＣＤ２３で画像を確認するためにＣＣＤ本来の画素数から間引きされた画像データが出力されている（モニタリングモード）。この出力は、Ｓ／Ｈ回路１４にて相関２重サンプリングされ、被写体照度が十分に得られない場合には、ＡＧＣ回路１５により所定の出力レベルまで増幅し、Ａ／Ｄ回路１６によりデジタルデータに変換される。これらは、ＴＧ（タイミングジェネレータ）２６からの制御信号によって動作制御されている。
【００３４】
光学制御部１７では、入力映像に対してＡＥ（Ａｕｔｏ　Ｅｘｐｏｓｕｒｅ）、ＡＦ（Ａｕｔｏ　Ｆｏｃｕｓ）、ＡＷＢ（Ａｕｔｏ　Ｗｈｉｔｅ　Ｂａｌａｎｃｅ）等のための検出処理を行う。ＡＥ制御では、絞り１２とＣＣＤ１３の電子シャッタの制御を行っている。また、ＡＦ制御では、レンズ１１に対してフォーカス制御を行う。また、ＡＷＢ処理では、光源の色温度が所定の白色色温度になるようにＲＧＢの各成分のバランスを調整する。γ補正回路１８は、γ補正を実行し、色信号変換回路１９は、ＲＧＢからＹ色差（ＹＣｂＣｒ）への変換を行う。この信号は、ＶＲＡＭ１２に書き込まれ、順次ＬＣＤ２３に表示される。
【００３５】
レリーズ操作後の動作としては、デジタルカメラ１のＣＰＵ２５は、操作スイッチ２８におけるレリーズ操作（シャッタ押下）を検出すると、ＣＣＤ１３をモニタリングモードから全画素出力モードに切り換える。全画素出力モードの間は、ＬＣＤ２３の画像表示を一時的にブルーバック等の待機画面に切り換える。撮影時に、画像データの画素数が異なる以外、色信号変換回路１９までの制御信号及び記録データの流れは、上述した動作と同一である。
【００３６】
色信号変換回路１９において、記録する画像データの色信号をＲＧＢからＹＣｂＣｒへ変換した後、解像度変換回路２０において、指定された記録画像サイズに応じて画像サイズの縮小演算処理が行われる。また、必要に応じてＪＰＥＧ処理回路２１においてＪＰＥＧ圧縮処理を実行する。
【００３７】
縮小演算処理、ＪＰＥＧ圧縮処理が施された画像データは、ＦＩＦＯ２７に一旦格納される。「非圧縮」が指定されている場合は、ＪＰＥＧ処理回路２１でＪＰＥＧ変換処理は行わず、画像データは、直接ＦＩＦＯ２７に格納される。また例えば、画像データがＴＩＦＦ形式等の場合、色信号変換回路１９におけるＲＧＢからＹ色差への変換処理は実行されず、ＲＧＢ形式のままＦＩＦＯ２７に格納される。
【００３８】
以上のように撮像された画像データは、以下のようにしてディスク状記録媒体に記録される。ここでの記録動作は、ＦＩＦＯ２７を中継することによって撮影動作と並列かつ独立して実行される。
【００３９】
ＦＩＦＯ２７に格納されたデータは、復号及び符号化部３０に送られる。復号及び符号化部３０は、ＥＤＣ回路３１、ＥＣＣ回路３２、スクランブル回路３３、Ｃ２処理回路３４、インターリーブ回路３５、Ｃ１処理回路３６、同期処理回路３７、ＥＦＭ変調回路３８を含み、画像データを符号化して記録データを生成するとともに、記録データを復号して画像データが取り出される。
【００４０】
記録データを生成する際には、ここでは、イエローブックのモード１として定められた方式に則って、ＥＤＣ回路３１においてエラー検出用のデータが２Ｋｂｙｔｅ単位で記録データに付加される。また、ＥＣＣ回路３２において、訂正用のコードがさらに付加される。
【００４１】
訂正用コードが付された記録データは、続いて、スクランブル回路３３において並び換えられ、Ｃ２処理回路３４にてバーストエラー検出訂正のためのパリティが追加される。その後、インターリーブ回路３５によりインターリーブ処理され、Ｃ１処理回路３６にてランダムエラー検出訂正のためのパリティが追加される。以上のようにして、ＣＩＲＣを用いた誤り訂正符号処理のためのエンコード／デコード処理のブロックが生成される。
【００４２】
ここで生成されたブロックは、同期処理回路３７において、同期データとして必要なデータを付加され、ＥＦＭ変調回路３８において、記録ピットに対応したデータ、ＥＦＭ（Ｅｉｇｈｔ　ｔｏ　Ｆｏｕｒｔｅｅｎ　Ｍｏｄｕｌａｔｉｏｎ）変調されたデータに変換され、ＦＩＦＯ４０に一旦格納される。以上の工程によって記録データに対する全てのエンコード処理が終了する。
【００４３】
ＣＰＵ２５は、この記録データの準備動作と並行して、ドライブ制御回路３９に対してデータ書き込み先のアドレスを設定し、ドライブ制御回路３９は、スピンドルモータ４６とスレッドモータ４５とを起動する。
【００４４】
なおここで、色信号変換回路１９、解像度変換回路２０、ＪＰＥＧ処理回路２１、ＶＲＡＭ２２、ＣＰＵ２５、ＦＩＦＯ２７、復号及び符号化部３０、ドライブ制御回路３９は、互いにバスライン２４によって接続されている。
【００４５】
光学ピックアップ４３からの出力信号は、戻り光検出回路４７にてアドレス検出に必要なウォブル信号を復調し、ＡＴＩＰ検出回路４８において、アドレスやその外の付加情報に再構成される。その際、ＣＲＣ処理回路４９によりエラー検出と訂正とを行う。エラーとして検出されても、これが訂正可能な場合であれば処理が継続されるが、訂正不可能な場合、ＡＴＩＰ情報として記録されたアドレスが検出できないことになる。そのため、このエラー数から劣化情報を生成しておき表示したり、所定のエラー数（頻度）になると、必要に応じて警告表示を行う。
【００４６】
また、ドライブ制御回路３９は、光学ピックアップ４３のスポットのアドレスをこの方法で読み出しながら、さらにスレッドモータ４５とスピンドルモータ４６とを制御して、例えば目的のアドレスの少し手前へレーザスポットを移動し、書き込み開始のタイミングを調整している。
【００４７】
光学ピックアップ４３のスポットが書き込み開始のアドレスに到達すると、書き込みパルス発生回路４１は、ＦＩＦＯ４０からの信号に応じてレーザ駆動回路４２に書き込みパルスを入力する。この後、ＥＦＭ変調されたデータがレーザダイオードからのレーザ光によってディスク６０上にピットとして記録される。
【００４８】
データをディスク６０に記録する際には、光学ピックアップ４３の対物レンズ（図示しない）に対するフォーカス／トラッキング制御、光学ピックアップ４３全体をスパイラル状のトラックに沿って内周から外周方向に移動するためのスレッド制御、スポットのトレースが線速度一定（ＣＬＶ）になるようにスピンドルモータ４６の回転数を制御するスピンドル制御等が常に実行されている。
【００４９】
光学ピックアップ４３内のフォトディテクタ（図示せず）からの戻り光検出信号は、戻り光検出回路４７にてサーボ制御に必要となる各信号として検出される。検出されたフォーカスエラー信号及びトラッキングエラー信号は、光学ピックアップ駆動回路５０において、それぞれ対物レンズのフォーカス駆動コイル、同トラッキング駆動コイルをドライブ制御するための信号に変換される。これらフォーカスエラー信号、トラッキングエラー信号は、所定のレベル以下になるようにフィードバック制御されている。
【００５０】
ドライブ制御回路３９は、トラッキングエラー信号の平均値を所定範囲になるようにフィードバック制御しつつ、光学ピックアップ４３全体をディスク６０の内周位置から外周位置に向かう方向にスレッドモータ４５を制御する。また、ドライブ制御回路３９では、戻り光検出回路４７でＡＴＩＰ情報を読み出す過程で検出されるウォブル信号を受けて、その変調周波数の平均が所定の周波数になるようにスピンドルモータ４６の回転数を制御する。この例では、レーザスポット位置の線速度が一定になるＣＬＶ（Ｃｏｎｓｔａｎｔ　Ｌｉｎｅａｒ　Ｖｅｌｏｃｉｔｙ）制御が行われているが、ＣＡＶ制御の場合の例ではスピンドルモータ４６の回転数は一定速度となる様に制御される。
【００５１】
以上のような構成を備えた本具体例のデジタルカメラ１におけるエラー検出訂正処理及び記録媒体の劣化判別処理を図２及び図３を用いて説明する。
【００５２】
デジタルカメラ１のＣＰＵ１５は、ステップＳ１において、レリーズ操作を検出すると、ステップＳ２において、レリーズ操作に対応して一連の画像を取り込む。また、ステップＳ３において、この取り込まれた画像データをＦＩＦＯ２７へ一時的に格納する。ＦＩＦＯ２７にデータが格納されている場合、ステップＳ４にて、この記録データを規格に合わせてエンコードする。次いで、ステップＳ５において、ＦＩＦＯ４０に一時的に格納する。
【００５３】
ＦＩＦＯ４０に格納された記録データをディスク６０に記録するに際して、ステップＳ６からの一連の動作が実行される。すなわち、書き込み動作と同時に、記録媒体、ここでは、ＣＤ−Ｒ又はＣＤ−ＲＷに予め形成されたグルーブのウォブルからアドレスを読み出す動作が実行される。ステップＳ６では、後段に続くエラー検出訂正処理、劣化情報生成処理に先立って、前回セットされた劣化レジスタをクリアする。
【００５４】
ここでの劣化レジスタの構成例は、図４に示す。後述する劣化レジスタＡは、書き込み時のＡＴＩＰエラー数及び発生状況を格納し、劣化レジスタＢは、読み出し時のＡＴＩＰエラー数及び発生状況を格納する。また、劣化レジスタＣは、後述するＣ１処理でのエラー数及び発生状況を格納し、劣化レジスタＤは、Ｃ２エラー処理におけるエラー数及び発生状況を格納する。なお、劣化レジスタは、例えば、ＦＩＦＯ２７として用いている作業用メモリ中に定義してもよいし、また、ＣＰＵ２５に内蔵された作業用メモリ中に定義することもできる。
【００５５】
ステップＳ７から、ディスク６０への書き込み動作が開始される。続くステップＳ８において、ＡＴＩＰ情報のエラー数を検出し第１の劣化情報を生成し、劣化レジスタＡへ格納する。繰り返し記録等によってグルーブが劣化し、訂正不可能なアドレスが所定以上続くと正確なＡＴＩＰアドレスの読取りができなくなる。そこで、アドレス情報が記録されているウォブルから復調されたＡＴＩＰデータのＣＲＣエラー検出訂正処理により修復不可能なエラーが見つかると、ステップＳ９での判別に応じて、図３のＢに続くステップＳ２０に進み、ここでは、例えば、「ディスクエラーが発生しました。新しいディスクと交換して撮り直してください。」などの第２の劣化情報（警告表示）を表示し、終了する。本具体例では、第１の劣化情報とは、主としてこのデジタルカメラ１内部におけるエラー指標であり、第２の劣化情報とは、デジタルカメラ１が外部（ユーザ）に対してエラーを知らしめるための警告情報である。
【００５６】
ステップＳ９において、訂正不可能なアドレス読取りエラーがない場合であっても、記録媒体の劣化と考えられるエラーを検出し、ステップＳ８にて第１の劣化情報として劣化レジスタＡに格納したＡＴＩＰのアドレス読取エラーが連続した２フレーム以上に亘って検出されたか否か、或いは７５フレームに平均４以上検出されたか否かの発生状況の情報と併せて、これらの条件に適合する場合は、後段のステップＳ１８に進み、ここでの判断に応じてステップＳ１９に進み、警告表示を行う。
【００５７】
ステップＳ９において、ＡＴＩＰの訂正不可能なアドレス読取りエラーがない場合、続くステップＳ１０にて、ベリファイ処理のための読出動作を行う。続くステップＳ１１、Ｓ１２での処理は、上述したステップＳ８、Ｓ９に対応している。すなわち、同様にステップＳ１１にて、ＡＴＩＰのアドレス読取エラーが連続した２フレーム以上に亘って検出されたか否か、或いは７５フレームに平均４以上検出されたか否かの発生状況の情報を第１の劣化情報として生成して劣化レジスタＢに格納し、これら条件に適合する場合は、後段のステップＳ１８に進み、ここでの判断に応じてステップＳ１９に進み、警告表示を行う。
【００５８】
ステップＳ１２の判別工程において、戻り光から検出される訂正不可能なアドレス読取エラーがない場合、続くステップＳ１３にて、読み出したデータのデコード処理を行う。以下の工程では、ＣＩＲＣを用いたＣ１処理、Ｃ２処理、モード１の順にエラー検出訂正動作を実行する。
【００５９】
ステップＳ１４にて、Ｃ１、Ｃ２のエラー検出数を第１の劣化情報として生成し、劣化レジスタＣ、Ｄに格納しておき、ステップＳ１８において判断し、ステップＳ１９にて警告表示を行う。
【００６０】
ステップＳ１５において、記録媒体上のデータに訂正不可能なエラーがあるか否か判別する。ここで訂正不可能なエラーが検出された場合は、ステップＳ２０に進み、ここでは例えば、「ディスクエラーが発生しました。新しいディスクと交換して撮り直してください」といったディスクエラー表示を行って終了する。
【００６１】
最終的に、図３のＡに続くステップＳ１６において、第１の劣化情報として生成され劣化レジスタＡ−Ｄに格納されている情報から表示内容を視覚化再構成して、ステップＳ１７にてＬＣＤ２３上に表示する。
【００６２】
さらにステップＳ１８では、劣化レジスタＡ〜Ｄに格納された第１の劣化情報を所定の閾値と比較して警告表示を行う。具体的には、劣化レジスタＡ、Ｂの内容が、「ＡＴＩＰアドレス読取エラーが連続した２フレーム以上に亘って検出された」、或いは「読取りエラーが７５フレームに平均４以上検出された」ことを示す場合、ステップＳ１９において、「ディスクが劣化していてエラーが発生する可能性があります。次回から新しいディスクを使用してください。」などのディスク警告表示を行い、終了する。
【００６３】
同様に、劣化レジスタＣ、Ｄの内容が、「Ｃ１処理の際に検出されるエラーが連続する７５０フレームに対して平均２００以上検出された」、或いは「Ｃ２処理の際に検出されるエラーが１以上検出された」ことを示す場合も同様にディスク警告表示を行い、終了する。
【００６４】
表示の方法としては、上述したように、交換を促す警告表示だけであってもよいし、詳細な劣化情報を視覚化して表示してもよい。図５に劣化情報の表示例を示す。例１は、書き込みアドレス劣化と、読み出しアドレス劣化と、読み出しデータの劣化とを別々に表示するようにした例である。それぞれの劣化項目についてマークを４マス設け、この点灯数によって劣化度合いが分かるようになっている。例２は、アドレス劣化とデータ劣化とを表示するようにした例である。例１と同様、マークの点灯数によって劣化度合いを表示する。例３は、アドレス劣化とデータ劣化とをランプの色によって表示するようにした例である。例えば、緑、黄、赤のように変色するに連れて劣化度合いが進行していることを示すようにする。また、例４、例５のようにディスク劣化のみを上述の何れかの方法で表示するようにしてもよい。
【００６５】
以上のように、本具体例では、訂正不可能なエラーが発生する前に、所定の各エラー訂正処理で検出されたエラー数（頻度）から第１の劣化情報が生成され、この第１の劣化情報に応じて警告（第２の劣化情報）を表示できるようにしたため、ユーザに対して記録媒体の交換を促すことができる。
【００６６】
そのため、深刻なエラーが発生した時点で記録媒体の交換を指示する従来の手法と異なり、記録データの損失が未然に回避できる上、過酷な条件下であっても記録動作を実行する必要があるようなデジタルカメラに対して、確実なデータ記録動作が実現できる。
【００６７】
なお、本発明は上述した実施の形態のみに限定されるものではなく、本発明の要旨を逸脱しない範囲において種々の変更が可能であることは勿論である。例えば、具体例として示したデジタルカメラは、マイクロフォン、音声処理回路等を備えれば、画像データとともに音声データを記録することもできる。
【００６８】
【発明の効果】
以上詳細に説明したように、本発明に係るデータ記録再生装置によれば、エラー検出訂正に至る過程で明らかとなる記録媒体のエラー頻度を第１の劣化情報として生成し格納しておき、所定の閾値と比較して劣化の度合いを評価するための劣化情報とし、劣化度合いを表す情報を表示手段に表示できるようにしたことにより、深刻なエラーが発生した時点で記録媒体の交換を指示する従来の手法と異なり、記録データの損失が未然に回避できる上、過酷な条件下であっても記録動作を実行する要求に対して、確実なデータ記録動作が実現できる。
【００６９】
また、本発明に係るデータ記録再生方法によれば、エラー検出訂正に至る過程で明らかとなる記録媒体のエラー頻度を第１の劣化情報として生成し格納しておき、所定の閾値と比較して劣化の度合いを評価するための劣化情報とし、劣化度合いを表す情報を表示することにより、深刻なエラーが発生した時点で記録媒体の交換を指示する従来の手法と異なり、記録データの損失が未然に回避できる上、過酷な条件下であっても記録動作を実行する要求に対して、確実なデータ記録動作が実現できる。
【００７０】
さらにまた、本発明に係るデジタルカメラによれば、撮像された画像データを記録する際、エラー検出訂正に至る過程で明らかとなる記録媒体のエラー頻度を第１の劣化情報として生成し格納しておき、所定の閾値と比較して劣化の度合いを評価するための劣化情報とし、劣化度合いを表す情報を表示することにより、深刻なエラーが発生した時点で記録媒体の交換を指示する従来の手法と異なり、記録データの損失が未然に回避できる上、過酷な条件下であっても記録動作を実行する要求に対して、確実なデータ記録動作が実現できる。
【図面の簡単な説明】
【図１】本具体例として示すデジタルカメラを説明する構成図である。
【図２】本具体例として示すデジタルカメラにおけるエラー検出訂正処理並びに媒体劣化判定処理を説明するフローチャートである。
【図３】本具体例として示すデジタルカメラにおけるエラー検出訂正処理並びに媒体劣化判定処理を説明するフローチャートである。
【図４】本具体例として示すデジタルカメラにおける劣化レジスタの構成を説明する模式図である。
【図５】本具体例として示すデジタルカメラの表示部に表示される劣化情報の表示例を説明する図である。
【符号の説明】
１　デジタルカメラ、１１　レンズ、１２　絞り、１３　ＣＣＤ、１４　Ｓ／Ｈ回路、１５　ＡＧＣ回路、１６　Ａ／Ｄ回路、１７　光学制御部、１８　γ補正回路、１９　色信号変換回路、２０　解像度変換回路、２１、ＪＰＥＧ処理回路、２２　ＶＲＡＭ、２３　ＬＣＤ、２４　バスライン、２５　ＣＰＵ、２６　ＴＧ回路、２７　ＦＩＦＯ、２８　操作スイッチ、３０　復号及び符号化部、３１　ＥＤＣ回路、３２　ＥＣＣ回路、３３　スクランブル回路、３４　Ｃ２処理回路、３５　インターリーブ回路、３６　Ｃ１処理回路、３７　同期処理回路、３８　ＥＦＭ変調回路、３９　ドライブ制御回路、４０　ＦＩＦＯ、４３　光学ピックアップ、４１　書き込みパルス発生回路、４４　自動パワー調整回路、　４５　スレッドモータ、４６　スピンドルモータ、４７　戻り光検出回路、４８ＡＴＩＰ検出回路、４９　ＣＲＣ処理回路、５０　光学ピックアップ駆動回路
【図１】
2004022136.tif 000003
【図２】
2004022136.tif 000004
【図３】
2004022136.tif 000005
【図４】
2004022136.tif 000006
【図５】
2004022136.tif 000007